(57)【要約】【課題】  ユーザに不在着信の有無を意識的に確認させることなく不在着信があることを報知する。【解決手段】  不在着信があった場合に報知する第１の報知内容を予め設定するための入力手段（キー操作部１４）と、第１の報知内容に応じた報知を実行するための出力手段（スピーカ１２、バイブレータ１３）と、第１の報知内容を記憶する記憶手段と、実際に不在着信を検出した場合に、記憶手段に記憶されている第１の報知内容を読み出して、出力手段（スピーカ１２、バイブレータ１３）に対して第１の報知内容に応じた報知を実行させるように制御する制御手段とを有する携帯電話機１。【選択図】図１
2010263397.tif 000002
【特許請求の範囲】
【請求項１】
不在着信があった場合に報知する第１の報知内容を予め設定するための入力手段と、
前記第１の報知内容に応じた報知を実行するための出力手段と、
前記第１の報知内容を記憶する記憶手段と、
実際に不在着信を検出した場合に、前記記憶手段に記憶されている前記第１の報知内容を読み出して、前記出力手段に対して前記第１の報知内容に応じた報知を実行させるように制御する制御手段とを有することを特徴とする携帯端末。
【請求項２】
前記出力手段は、報知音を出力する報知音出力手段と振動手段を有し、
前記報知内容に応じた報知は、前記報知音出力手段から前記報知音を出力すること及び前記振動手段を振動させることを含むことを特徴とする請求項１に記載の携帯端末。
【請求項３】
前記第１の報知内容は、前記振動手段からの振動の可否、前記報知音出力手段からの前記報知音の出力の可否、前記報知音出力手段からの前記報知音の間隔、前記報知音出力手段からの前記報知音の音量及び電話帳登録番号との照合の可否を含むことを特徴とする請求項２に記載の携帯端末。
【請求項４】
前記第１の報知内容は、同じ発信元から不在着信が２回以上あった場合の前記第１の報知内容の設定変更の可否をさらに含むことを特徴とする請求項３に記載の携帯端末。
【請求項５】
前記第１の報知内容に前記設定変更を可とする内容が含まれている場合に、前記入力手段を介して設定が変更された第２の報知内容を前記記憶手段に記憶し、
実際に前記不在着信が２回以上あった場合に、前記制御手段は、前記記憶手段に記憶されている前記第２の報知内容を読み出して、前記出力手段に対して前記第２の報知内容に応じた報知を実行させるように制御することを特徴とする請求項４に記載の携帯端末。
【請求項６】
前記第２の報知内容は、前記振動手段からの振動の可否、前記報知音出力手段からの前記報知音の出力の可否、前記報知音出力手段からの前記報知音の間隔、前記報知音出力手段からの前記報知音の音量及び電話帳登録番号との照合の可否を含むことを特徴とする請求項５に記載の携帯端末。
【請求項７】
前記第１の報知内容又は前記第２の報知内容に、前記電話帳登録番号との照合を可とする内容が含まれている場合に、発信元の電話番号が前記電話帳登録番号と一致しない場合には、前記第１の報知内容又は前記第２の報知内容に応じた報知を前記制御手段に実行させないようにすることを特徴とする請求項１から６のいずれか１項に記載の携帯端末。
【請求項８】
前記制御手段は音声ガイダンス機能を有しており、
前記制御手段は、前記音声ガイダンス機能を介して、前記第１の報知内容又は前記第２の報知内容に応じた音声ガイダンスを発信側に通知することを特徴とする請求項１から７のいずれか１項に記載の携帯端末。
【請求項９】
不在着信があった場合に報知する第１の報知内容を予め設定しておき、
実際に不在着信を検出した場合に、前記設定された第１の報知内容に応じた報知を実行することを特徴とする携帯端末の報知方法。
【請求項１０】
前記第１の報知内容に応じた報知は、報知音の出力及び振動を含むことを特徴とする請求項９に記載の携帯端末の報知方法。
【請求項１１】
前記第１の報知内容は、前記振動の可否、前記報知音の出力の可否、前記報知音の間隔、前記報知音の音量及び電話帳登録番号との照合の可否を含むことを特徴とする請求項１０に記載の携帯端末の報知方法。
【請求項１２】
前記第１の報知内容は、同じ発信元から不在着信が２回以上あった場合の前記第１の報知内容の設定変更の可否をさらに含むことを特徴とする請求項１１に記載の携帯端末の報知方法。
【請求項１３】
前記第１の報知内容に前記設定変更を可とする内容が含まれている場合に、前記設定変更後の第２の報知内容を設定し、
実際に前記不在着信が２回以上あった場合に、前記第２の報知内容に応じた報知を実行することを特徴とする請求項１２に記載の携帯端末の報知方法。
【請求項１４】
前記第２の報知内容は、前記振動の可否、前記報知音の出力の可否、前記報知音の間隔、前記報知音の音量及び電話帳登録番号との照合の可否を含むことを特徴とする請求項１３に記載の携帯端末の報知方法。
【請求項１５】
前記第１の報知内容又は前記第２の報知内容に、前記電話帳登録番号との照合を可とする内容が含まれている場合に、発信元の電話番号が前記電話帳登録番号と一致しない場合には、前記第１の報知内容又は前記第２の報知内容に応じた報知を実行しないことを特徴とする請求項１１から１４のいずれか１項に記載の携帯端末の報知方法。
【請求項１６】
前記第１の報知内容又は前記第２の報知内容に応じた音声ガイダンスを発信側に通知することを特徴とする請求項９から１５のいずれか１項に記載の携帯端末の報知方法。
【請求項１７】
実際に不在着信を検出した場合に、前記第１の報知内容が設定されているか否かを判定し、
前記第１の報知内容が設定されていない場合には、不在着信を表すアイコンを表示し、
前記第１の報知内容が設定されている場合には、前記不在着信が２回以上か否かを判定し、
前記不在着信が２回未満ならば、前記第１の報知内容に応じた報知を実行し、
前記不在着信が２回以上ならば、前記第２の報知内容が設定されているか否かを判定し、
前記第２の報知内容が設定されていなければ、前記第１の報知内容に応じた報知を実行し、
前記第２の報知内容が設定されていれば、前記第２の報知内容に応じた報知を実行することを特徴とする請求項９から１６のいずれか１項に携帯端末の報知方法。
【発明の詳細な説明】
【技術分野】
【０００１】
本発明は、不在着信があった場合に所定の報知を行う携帯端末及び携帯端末の報知方法に関する。
【背景技術】
【０００２】
従来は、外部環境が騒がしいケースや、ユーザがカバンの中に携帯電話をしまっているケースや服のポケットにしまっているケースなどで着信を認識できなかった場合に、ユーザ自身が表示部を確認して不在着信の有無を意識的に確認しなければその不在着信を認識することができなかった。
【０００３】
従来の技術では、表示部にアイコン表示をおこなうか、またはＬＥＤの点灯により不在着信を報知することが主流であった。
【０００４】
これに関連する技術として、特開２００７−１８１１３３号公報（特許文献１）、特開２００８−４８０６１号公報（特許文献２）等がある。
【先行技術文献】
【特許文献】
【０００５】
【特許文献１】特開２００７−１８１１３３号公報
【特許文献２】特開２００８−４８０６１号公報
【発明の概要】
【発明が解決しようとする課題】
【０００６】
本発明の目的は、上述した課題を解決するための技術を提供することにあり、ユーザに不在着信の有無を意識的に確認させることなく不在着信があることを報知することが可能な携帯端末及び携帯端末の報知方法を提供することにある。
【課題を解決するための手段】
【０００７】
本発明の携帯端末は、
不在着信があった場合に報知する第１の報知内容を予め設定するための入力手段と、
前記第１の報知内容に応じた報知を実行するための出力手段と、
前記第１の報知内容を記憶する記憶手段と、
実際に不在着信を検出した場合に、前記記憶手段に記憶されている前記第１の報知内容を読み出して、前記出力手段に対して前記第１の報知内容に応じた報知を実行させるように制御する制御手段とを有する。
【０００８】
また、本発明の携帯端末の報知方法は、
不在着信があった場合に報知する第１の報知内容を予め設定しておき、
実際に不在着信を検出した場合に、前記設定された第１の報知内容に応じた報知を実行する。
【発明の効果】
【０００９】
本発明によれば、不在着信の報知内容を周囲の状況に応じて細かく設定することにより、不在着信の有無を確認する操作をさせることなく、ユーザに不在着信を確実に報知することができる。
【図面の簡単な説明】
【００１０】
【図１】本発明の実施の形態に係る携帯電話機の外観図である。
【図２】本発明の実施の形態に係る携帯電話機の内部ブロック図である。
【図３】不在着信の報知設定内容（第１の報知内容）を示す図である。
【図４】２回以上繰り返して不在着信があった場合の報知設定内容（第２の報知内容）を示す図である。
【図５】本発明の実施の形態の処理手順を示すフローチャートである。
【図６】本発明の他の実施の形態の処理手順を示すフローチャートである。
【発明を実施するための形態】
【００１１】
次に、本発明の実施の形態について図面を参照して詳細に説明する。
【００１２】
まず、図１を参照して、本発明の実施の形態に係る携帯端末（携帯電話機）の構成について説明する。図１は、携帯電話機の外観図である。
【００１３】
携帯電話機１はＬＣＤ表示部１１、スピーカ１２、バイブレータ１３、キー操作部１４、バッテリー１５、アンテナ１６を有する。ここで、アンテナ１６は、本実施の形態では、内蔵タイプのアンテナである。
【００１４】
図２は、本発明の実施の形態に係る携帯電話機１の内部ブロック図である。
【００１５】
携帯電話機１は、各動作を制御する制御部２１、設定等を記憶するメモリ２２、無線部２３、ＬＣＤ表示部１１、着信音などを鳴動するスピーカ１２、振動するバイブレータ１３、操作を入力するキー操作部（入力部）１４、電源供給を行うバッテリー１５、送受信用アンテナ１６を有する。
【００１６】
次に、図３及び図４を参照して、不在着信時の報知設定内容について説明する。
【００１７】
図３は、不在着信の報知設定内容（第１の報知内容）を示す。
【００１８】
第１の報知内容は、バイブレータ振動の使用可否の設定３１（ＯＮ／ＯＦＦを選択）、報知音鳴動可否の設定３２（ＯＮ／ＯＦＦを選択）、バイブレータＯＮかつ報知音ＯＮの場合の報知機能呼び出し間隔の入力３３（１分、５分、１０分、３０分から選択、もしくは直接入力）、報知音量の設定３４、電話帳登録番号の照合を実施して不在着信報知を実施するかどうか（する／しないを選択）３５、ユーザがまだ確認していない不在着信があった場合に、同じ番号から２回以上繰り返して不在着信があった場合に設定変更をするかどうかの設定３６（する／しないを選択）を有する。
【００１９】
図４は、２回以上繰り返して不在着信があった場合の報知設定内容（第２の報知内容）を示す。
【００２０】
第２の報知内容は、バイブレータ振動の使用可否の設定４１（ＯＮ／ＯＦＦを選択）、報知音鳴動可否の設定４２（ＯＮ／ＯＦＦを選択）、バイブレータＯＮかつ報知音ＯＮの場合の報知機能呼び出し間隔の入力４３（１分、５分、１０分、３０分から選択、もしくは直接入力）、報知音量の設定４４、電話帳登録番号の照合を実施して不在着信報知を実施するかどうか（する／しないを選択）４５がある。
【００２１】
電話帳登録番号の照合を実施する目的は、あらかじめ重要なグループに登録されている番号からの着信に対して重要度を引き上げること、及び迷惑電話などの不要電話との色分けをして不要な電話の不在着信の報知動作を回避することである。
【００２２】
同じ電話番号から２回以上繰り返して不在着信があった場合の設定変更をする目的は、急ぎの案件など優先度の高い着信に対して重要度を引き上げることである。１回目は報知音を消していても、２回目以降の設定で報知音を鳴動するように設定しておくことで、より気付きやすい不在着信の報知が可能になる。
【００２３】
上記２つの設定を組み合わせることで、不要な迷惑電話が繰り返し着信した場合については、不在着信の報知を実施しないといった対応も可能となる。
【００２４】
また、選択した設定は複数パターンを登録でき、簡易的な方法でこれらの設定内容を選択できるものとする。
【００２５】
このパターンの一例を以下に説明する。
【００２６】
ユーザは、図３に示すように、不在着信の報知内容について第１の報知内容の設定を行う。
【００２７】
公共の場や会議中などマナーレベルを高く設定した場合の例としては、バイブレータ「ＯＮ」、報知音「ＯＦＦ」、報知間隔「１０分」、（報知音量は報知音ＯＦＦなので考慮する必要なし）、電話帳登録番号の照合「する」、不在着信が２回以上繰り返された場合の設定変更「しない」を選択して、パターン１などの形式でメモリ２２（図２参照）に記憶される。
【００２８】
一方、自宅等でマナーレベルを低く設定した場合の例としては、バイブレータ「ＯＮ」、報知音「ＯＮ」、報知間隔「１分」、報知音量「最大」、電話帳登録番号の照合「ＯＦＦ」、不在着信が２回以上繰り返された場合の設定変更「しない」を選択してパターン２などの形式でメモリ２２（図２参照）に記憶される。
【００２９】
次に、図５のフローチャートを参照して、本発明の実施の形態の処理手順について説明する。
【００３０】
携帯電話機１に電話着信またはメール着信があった場合（Ｓ５０１）、応答したか否かが判定される（Ｓ５０２）。応答した場合には、通話開始またはメール開封を実施する（Ｓ５０３）。
【００３１】
一方、応答しなかった場合には、不在着信の第１の報知内容（図３参照）が設定されているか否かが判定される（Ｓ５０４）。
【００３２】
判定（Ｓ５０４）の結果、第１の報知内容（図３参照）が設定されていない場合には、不在着信、未読メールとして処理されて、携帯電話機１はＬＣＤ表示部１１などに不在着信アイコンなどの情報提示をおこなう（Ｓ５０５）。
【００３３】
判定（Ｓ５０４）の結果、第１の報知内容（図３参照）が設定されている場合には、同じ番号から不在着信が２回以上あったか否かが判定される（Ｓ５０６）。
【００３４】
判定（Ｓ５０６）の結果、不在着信が２回未満の場合には、設定された第１の報知内容（図３参照）を実行し、ユーザに対して不在着信があることを報知する（Ｓ５１１）。その後、ユーザにより不在着信内容の確認が実施されるまで繰り返す（Ｓ５１２〜Ｓ５１３）。
【００３５】
判定（Ｓ５０６）の結果、不在着信が２回以上の場合には、第２の報知内容（図４参照）が設定されているか否かが判定される（Ｓ５０７）。つまり、不在着信が２回以上繰り返された場合の設定変更が有効か否かが判定される。
【００３６】
判定（Ｓ５０７）の結果、第２の報知内容（図４参照）が設定されていない場合には、設定された第１の報知内容（図３参照）を実行する（Ｓ５１１）。
【００３７】
判定（Ｓ５０７）の結果、第２の報知内容（図４参照）が設定されている場合には、設定された第２の報知内容（図４参照）を実行し、ユーザに対して不在着信があることを報知する（Ｓ５０８）。その後、ユーザにより不在着信内容の確認が実施されるまで繰り返す（Ｓ５０９〜Ｓ５１０）。
【００３８】
本発明の実施の形態によれば、不在着信の報知手内容を周囲の状況に応じて細かく設定することにより、不在着信の有無を確認する操作をさせることなく、ユーザに不在着信を確実に報知することが可能となる。
【００３９】
このように、ＴＰＯに応じた不在着信時の報知内容に応じて、周囲の環境に配慮した内容で報知音やバイブレータ動作を行うことにより、ユーザに不在着信の有無を意識的に確認させることなく、ユーザに不在着信があることを報知することが可能となる。
【００４０】
より具体的には、報知音やバイブレータの振動により、ユーザに不在着信を報知することができる。また、緊急度の高い着信に対応する設定変更も可能であるため、より気付きやすくさせることも可能である。
【００４１】
さらに、ＴＰＯに応じたマナーの意識を伴う設定が可能となる。例えば、映画館や会議中など静粛な状況下では、周囲に迷惑となるような報知は回避し、ショッピング中や自宅など報知音やバイブレータの動作が周囲に迷惑とならない環境ではユーザが気付きやすい設定で不在着信の報知が可能となる。
【００４２】
次に、図６のフローチャートを参照して、本発明の他の実施の形態の処理手順について説明する。
【００４３】
図５のフローチャートと異なる点は、Ｓ５０５がＳ６０１に変更された点、及びＳ６０２、Ｓ６０３が新たに追加された点である。他の処理手順は図５の処理手順と同じなのでその説明は省略する。
【００４４】
本実施の形態では、マナーモード設定中に伝言メモ等の音声ガイダンス機能を有した携帯電話機１において、不在着信の報知内容（図３、図４参照）の設定内容に応じて発信側の相手にガイダンスにより着信側の状況を通知する。
【００４５】
具体的には、Ｓ６０２、Ｓ６０３のガイダンスの内容としては下記のようなガイダンスが考えられる。
【００４６】
バイブレータ「ＯＦＦ」、報知音「ＯＦＦ」の不在着信の報知内容（図３、図４参照）を設定している場合は、電話に応答できない状況である旨を発信側にガイダンスによる通知を行う。ガイダンス内容の例としては、「現在電話にでることができない状況ですので、しばらくお待ちください」などである。
【００４７】
バイブレータ「ＯＮ」、報知音「ＯＦＦ」の不在着信の報知内容（図３、図４参照）を設定している場合は、「バイブレータにより不在着信を報知いたしますので、しばらくお待ちください」などと電話に応答できなかったもののバイブレータによる不在報知を実施している旨を発信側に通知する。
【００４８】
バイブレータ「ＯＮ」、報知音「ＯＮ」の不在着信の報知内容（図３、図４参照）を設定している場合は、「バイブレータおよび報知音により不在着信を報知いたしますので、しばらくお待ちください」などと電話に応答できなかったものの報知音とバイブレータによる気付きやすい報知内容で不在報知を実施している旨を発信側に通知する。
【００４９】
本発明の他の実施の形態によれば、発信側の相手に着信側の状況を通知することができる。さらに、現在の着信側の不在着信の報知内容に応じて発信側に着信側の状況を通知することにより、なぜ電話に応答することができないかを知らせ、かつ不在着信があったことを報知しているかどうかを確認できるために無駄な電話発信を控えることができる。
【００５０】
以上、本発明の実施の形態について具体的に説明したが、本発明は上述の実施形態に限定されるものではなく、本発明技術的思想に基づく各種の変形が可能である。
【符号の説明】
【００５１】
１  携帯電話機
１１  ＬＣＤ表示部
１２  スピーカ
１３  バイブレータ
１４  キー操作部
１５  バッテリー
１６  アンテナ
２１  制御部
２２  メモリ
２３  無線部
【図１】
2010263397.tif 000003
【図２】
2010263397.tif 000004
【図３】
2010263397.tif 000005
【図４】
2010263397.tif 000006
【図５】
2010263397.tif 000007
【図６】
2010263397.tif 000008